(57)【特許請求の範囲】
【請求項１】
湯水混合栓本体を壁面に設置して、給湯配管および給水配管からそれぞれ供給される湯および水を、湯水混合栓本体の湯・水導入口から、湯水の混合室に連通する湯室・水室に導くための湯水混合栓における壁面取付機構において、給湯配管に接続される湯取入口、給水配管に接続される水取入口および湯・水の取出口を一体的に形成した管継手と、前記湯取入口と給湯配管を連通する連通部材と、前記水取入口と給水配管を連通する連通部材と、湯水混合栓本体の前記湯・水導入口に嵌め込まれて前記湯室・水室にそれぞれ連通する湯および水の導入路を形成する第１嵌込部材と、管継手の前記湯・水の取出口に嵌め込まれて給湯、給水各配管に連通する湯および水の取出路を形成する第２嵌込部材と、管継手を壁面に形成された設置穴に固定・設置する固定部材と、前記設置穴に設置された管継手の前記湯・水の取出口と湯水混合栓本体の前記湯・水導入口とを接続して管継手に湯水混合栓本体を取付ける取付部材とから構成され、更に、管継手に形成された前記湯取入口および水取入口をねじ穴とし、前記連通部材を、可撓性の接続管と、この接続管に接続される被接続部材と、前記可撓性の接続管の下流端に連通連結し、管継手に形成された前記湯取入口および水取入口に螺着する下流側中継管と、前記可撓性の接続管の上流端に連通連結する上流側中継管とで構成するとともに、この上流側中継管の管端と前記被接続部材との両方にそれぞれフランジを設け、このフランジ同士を当接させた状態で、上流側中継管に対して前記被接続部材を抜け止め保持するクリップを設け、また、前記管継手は、湯・水の取出口が形成されたフランジ部分と、設置穴に挿入可能な本体部分とを備え、前記本体部分は下面が平坦面にカットされた形状を有すると共に、本体部分の平坦面を除く外周面にねじが形成されている一方、前記固定部材は、管継手の平坦面に係合する正面視Ｄ型の開口および壁の背面に形成された溝に嵌合する突起を有するリングと、前記本体部分の外周面のねじに螺着し前記リングを壁の背面に押圧するナットとを備えていることを特徴とする湯水混合栓における壁面取付機構。
【請求項２】
前記下流側中継管を、管継手の下側に接続するように構成してある請求項１に記載の湯水混合栓における壁面取付機構。
【発明の詳細な説明】
【０００１】
【発明の属する技術分野】
この発明は、湯水混合水栓における壁面取付機構に関するものである。
【０００２】
【従来の技術】
図５に、湯水混合栓を壁面に設置するための従来の取付機構の一例を示す。
【０００３】
図５において、配管取出し金具７１，７１が、壁７２に形成された給湯・給水の取出口ａ，ｂに埋め込まれた状態で給湯・給水配管（図示せず）にねじ止めされており、各取出し金具７１，７１と湯水混合栓７３の各偏心管７４，７５との間に取付けられるアダプター７６，７７を介して湯水混合栓７３が配置されている。このアダプター７６，７７は、その一端が、偏心管７４，７５に設けた通水孔Ｋに挿入されてメクラ栓７８，７８により固定されており、一方、他端は、アダプター７６，７７に固定配置されている座金７９，８０とともにシールテープＳでねじ山８１，８２をシールすることにより取出し金具７１，７１にねじ止めされる。なお、８３は蛇口である。
【０００４】
【発明が解決しようとする課題】
しかし、湯水混合栓７３の場合においては、単独水栓と異なり、湯水混合栓７３の配管への取付を取出口ａ、取出口ｂごとに別個に行う必要があり、作業工数が多くなり、施工に手間がかかる。
【０００５】
また、取出し金具７１，７１、アダプター７６，７７等の継手部品や、偏心管７４，７５等の取付に必要な接続部品が多く必要となる。また、コスト高になる。
【０００６】
さらに、湯水混合栓７３は壁７２との間に偏心管７４，７５を介して設置されるので、その分、前出しが大きくなり、コンパクト化に問題がある。
【０００７】
しかも湯水混合栓３を取出し金具７１，７１から離脱する際には、その取出し金具７１，７１からの取り外し時に、ねじ止めを解除する必要があるから、特殊な環境下や設置場所により、作業性が容易ではないという問題が生じる。
【０００８】
この発明は、上記問題に鑑みてなしたもので、その目的は、容易な取付作業で、湯水混合栓本体を給湯、給水各配管に取付けることができるとともに、構成部品を少なくしてコスト安を実現でき、さらに、取付スペースを縮小化できる湯水混合栓における壁面取付機構を提供することを目的としている。
【０００９】
【課題を解決するための手段】
上記目的を達成するために、この発明は、湯水混合栓本体を壁面に設置して、給湯配管および給水配管からそれぞれ供給される湯および水を、湯水混合栓本体の湯・水導入口から、湯水の混合室に連通する湯室・水室に導くための湯水混合栓における壁面取付機構において、給湯配管に接続される湯取入口、給水配管に接続される水取入口および湯・水の取出口を一体的に形成した管継手と、前記湯取入口と給湯配管を連通する連通部材と、前記水取入口と給水配管を連通する連通部材と、湯水混合栓本体の前記湯・水導入口に嵌め込まれて前記湯室・水室にそれぞれ連通する湯および水の導入路を形成する第１嵌込部材と、管継手の前記湯・水の取出口に嵌め込まれて給湯、給水各配管に連通する湯および水の取出路を形成する第２嵌込部材と、管継手を壁面に形成された設置穴に固定・設置する固定部材と、前記設置穴に設置された管継手の前記湯・水の取出口と湯水混合栓本体の前記湯・水導入口とを接続して管継手に湯水混合栓本体を取付ける取付部材とから構成され、更に、管継手に形成された前記湯取入口および水取入口をねじ穴とし、前記連通部材を、可撓性の接続管と、この接続管に接続される被接続部材と、前記可撓性の接続管の下流端に連通連結し、管継手に形成された前記湯取入口および水取入口に螺着する下流側中継管と、前記可撓性の接続管の上流端に連通連結する上流側中継管とで構成するとともに、この上流側中継管の管端と前記被接続部材との両方にそれぞれフランジを設け、このフランジ同士を当接させた状態で、上流側中継管に対して前記被接続部材を抜け止め保持するクリップを設け、また、前記管継手は、湯・水の取出口が形成されたフランジ部分と、設置穴に挿入可能な本体部分とを備え、前記本体部分は下面が平坦面にカットされた形状を有すると共に、本体部分の平坦面を除く外周面にねじが形成されている一方、前記固定部材は、管継手の平坦面に係合する正面視Ｄ型の開口および壁の背面に形成された溝に嵌合する突起を有するリングと、前記本体部分の外周面のねじに螺着し前記リングを壁の背面に押圧するナットとを備えている。
また、上記湯水混合栓における壁面取付機構において、前記下流側中継管を、管継手の下側に接続するように構成してあってもよい。
【００１０】
【発明の実施の形態】
以下、この発明の実施の形態を図面に基づいて説明する。なお、それによってこの発明は限定を受けるものではない。
【００１１】
まず、湯水混合栓側の構成要素について説明する。
図１、図２において、１は、混合湯水の吐水管２を備えた湯水混合栓本体で、吐水管２の接続口が連設された湯水の混合室を備えている。そして、混合室に対する湯室および水室の連通部に、レバー３の回動操作に連動して湯・水の混合比と流量の調整を行うための弁が設けられている。前記レバー３は、湯水混合栓本体１の上面側に設置される上面タイプのものではなく、湯水混合栓本体１の一端に設置される、いわゆる正面タイプのものである。４は、湯水混合栓本体１に設けた湯・水導入口で、第１嵌込部材５が嵌め込まれている。この第１嵌込部材５は断熱機能を有する材料からなり、湯室、水室７を仕切る仕切部に嵌め込まれる形で回り止めされており、湯室に連通する湯導入路Ｍへ後述する管継手７側からの湯を取り入れるための湯穴８と、水室に連通する水導入路へ水を取り入れるための水穴が並設されている。なお、６は、シール部材である。
【００１２】
次に、湯水混合栓本体１に取付けられる管継手７の構成要素について説明する。
前記管継手７は、流し台Ｎ正面の壁９に形成された設置穴１０に固定・設置される。管継手７は、正面視Ｄ型の湯・水の取出口１１が形成されたフランジ部分４０と、設置穴１０に挿入可能な大きさの本体部分４１とで構成されている。この本体部分４１は下面が平坦面４１ａにカットされた形状を有する。そして、前記湯・水の取出口１１の上流側に形成された湯穴１１ａおよび水穴に嵌め込まれる第２嵌込部材１２によって湯取出路１３および水取出路が形成される。すなわち、前記湯取出路１３および水取出路は、第２嵌込部材１２を構成する一対の筒状アダプター１４，１５によって形成される。湯取出路１３は前記筒状アダプター１４によって形成され、水取出路は前記筒状アダプター１５によって形成され、両筒状アダプター１４，１５共、第１嵌込部材５と同様に断熱機能を有する材料からなる。
【００１３】
更に、前記筒状アダプター１４は、筒体部分１４ａとフランジ部分１４ｂとから構成され、同じく筒状アダプター１５は、筒体部分とフランジ部分１５ｂとから構成され、筒状アダプター１４，１５同士は、フランジ部分１４ｂ，１５ｂに形成された切欠きを当接面Ａとして湯・水の取出口１１から湯穴１１ａおよび水穴に嵌め込まれる。なお、１６は筒状アダプター１４の外周に設けたシール部材で、筒状アダプター１５の外周にも同様のシール部材が設けられている。なお、湯・水の取出口１１内には、湯供給路ｍおよび水供給路を仕切る仕切壁が形成されており、この仕切壁によって前記当接面Ａを除いた筒状アダプター１４，１５の部分が仕切られて位置決めされる。
【００１４】
１７は、管継手７に形成された湯取入口で、ねじ穴としてある。このねじ穴１７には、一端が給湯配管１８に接続された連通部材１９の他端が螺着される。そして、給湯配管１８からの湯は、連通部材１９を通りねじ穴１７から湯供給路ｍに至る。同様に、給水配管２０からの湯は、連通部材２１を通りねじ穴から水供給路に至る。
【００１５】
前記連通部材１９，２１は、可撓性のサプライ管（接続管）２２，２３を有し、サプライ管２２，２３の上流端に中継管２４，２４が連通連結されている。そして、この中継管２４，２４には逆止弁（被接続部材）２５，２５が連通連結されている。
【００１６】
以下、連通部材１９について図３を参照して説明する。
前記サプライ管２２は例えば合成樹脂からなる可撓管であり、その外側面を例えばステンレス製の網体によって耐圧保護している。２６はサプライ管２２の上流端に嵌合される金属からなるリングであり、中継管２４の下流端にサプライ管２２を挿入した状態でこのリング２６をかしめることにより、中継管２４とサプライ管２２との接続を強固にしている。
【００１７】
前記中継管２４は例えば真鍮からなるパイプ材を例えばプレス加工することにより形成されている。すなわち、中継管２４の下流側の外周には前記サプライ管２２の抜け止め用の波状部分２４ａを形成し、上流側の端部にはフランジ２４ｂと内径拡大部分２４ｃとを形成している。
【００１８】
一方、逆止弁２５は例えば真鍮からなる棒材を旋盤加工などにより切削して形成しており、その内部には逆止弁本体（図示せず）を挿入するための弁室２５ａを形成し、上流端側には給湯配管１８に接続する雌ねじ２５ｂを形成している。逆止弁２５の下流端側の接続部分２５ｃは前記内径拡大部分２４ｃの内径に挿入できる外径であり、この接続部分２５ｃの外周には二つのＯリング２５ｄ，２５ｄを埋設している。そして、これらのＯリング２５ｄ，２５ｄより内側の管にはフランジ２５ｅを形成している。
【００１９】
２７はクリップで、一枚の帯状の金属部材を折曲形成してなり、図４に示すように、挿通部Ｇと、開口部Ｂと、一対の長孔Ｃ，Ｃとを有している。そして、全体として弾性を有している。
【００２０】
３０は、クリップ２７の脱落防止カバーである。この脱落防止カバー３０は、クリップ２７の前記開口部Ｂを形成する一対の開口端ｊ，ｊに跨がって開口部Ｂを被覆するカバー本体３１と、このカバー本体３１から連設され、クリップ２７の前記開口端ｊ，ｊのそれぞれ外周面側から当接する一対の防止片３２，３２とから構成され、前記カバー本体３１によって、外部力によるクリップ２７の脱落を防止できるとともに、前記防止片３２，３２によって、クリップ２７の前記開口端ｊ，ｊ同士が外側へ開くのを防止できる。
【００２１】
この脱落防止カバー３０の取り付けは以下のようにして行われる。すなわち、まず、逆止弁２５の前記接続部分２５ｃを中継管２４の内径拡大部分２４ｃに挿入し、かつ、フランジ２４ｂ，２５ｅ同士が当接した状態で、クリップ２７を両フランジ２４ｂ，２５ｅを挟み込むように挿入することにより、中継管２４に対して逆止弁２５が抜け止め保持された状態となる。
【００２２】
しかる後に、クリップ２７の開口端ｊ，ｊに跨がって上方側から脱落防止カバー３０を防止片３２，３２を通してクリップ２７に外嵌装着する。これにより、防止片３２，３２が開口端ｊ，ｊのそれぞれ外周面に当接し、開口端ｊ，ｊ同士が外側へ開くのを防止できる。よって、クリップ２７が容易に脱落することがない。
【００２３】
更に、脱落防止カバー３０のカバー本体３１には、逆止弁２５の二つのＯリング２５ｄ，２５ｄを梱包・出荷時等に保護するための保護口３３ａを有するキャップ部３３を内側に設けて、当該Ｏリング２５ｄ，２５ｄの保護カバーを兼用するように構成してある。
【００２４】
一方、サプライ管２２，２３の下流端にも中継管３５，３５が連通連結されている。また、３６は、サプライ管２２，２３の上流端に嵌合される金属からなるリングであり、中継管３５，３５の下流端にサプライ管２２，２３を挿入した状態でこのリング３６をかしめることにより、中継管３５，３５とサプライ管２２，２３との接続を強固にしている。この構成は、中継管２４とサプライ管２２との接続と同様である。
【００２５】
前記中継管３５は、先端外周に、管継手７に形成されたねじ穴１７に螺着するねじ３５ａが形成されている。
【００２６】
次に、管継手７を設置穴１０に固定・設置する固定手段について説明する。
【００２７】
管継手７の本体部分４１の前記平坦面４１ａを除く外周面にはねじｒが形成されている。また、管継手７の前記フランジ部分４０の外周面にもねじｓが形成されている。４３は、管継手７の回り止め機能を持つリングで、ナット４４によって壁９の背面９ａに押圧された状態で設置される。このリング４３は、管継手７の前記平坦面４１ａに係合する正面視Ｄ型の開口４３ａを有する。また、リング４３は、壁９の背面９ａに形成された溝９ｂに嵌合する突起４５を有する。よって、壁９の正面９ｂ側から設置穴１０に挿入された管継手７は、リング４３を介してナット４４締めにより壁９に固定される。なお、４７は、メクラ栓である。
【００２８】
続いて、管継手７に湯水混合栓本体１を取付ける取付手段について説明する。
【００２９】
５０は、一端がワッシャ５１を介してＥリング５２で湯水混合栓本体１に接続設置される第１取付部材で、この第１取付部材５０の他端は内周に、管継手７の前記フランジ部分４０の外周面に形成されたねじｓに螺合するねじを有する。５３は第２取付部材で、管継手７の本体部分４１に形成されたねじｒに螺合するねじを内周に有するとともに、取付時において前記第１取付部材５０の他端を覆う被覆部５３ａを有する。よって、壁９の正面９ｂ側から設置穴１０に挿入された管継手７は、リング４およびナット４４で設置穴１０に固定・設置された後、第２取付部材５３および第１取付部材５０の順で管継手７に対してねじ止めすることにより管継手７に湯水混合栓本体１を取付けることができる。
【００３０】
更に、前記連通部材１９，２１の管継手７への接続は、中継管３５に形成したねじ３５ａを管継手７に形成されたねじ穴１７に螺着するだけで容易に行われる。この場合、漏れ防止のためにシールテープを使用するのが好ましい。
【００３１】
而して、リング４３およびナット４４で壁９に固定した管継手７に湯水混合栓本体１を第１，２取付部材５０，５３、ワッシャ５１およびＥリング５２で取付けることができるとともに、管継手７に形成した湯取入口１７および水取入口用の各ねじ穴に可撓性のサプライ管２２，２３の下流端に連通連結した中継管３５，３５をねじ込むだけで、連通部材１９，２１を介して管継手７と給湯、給水各配管１８，２０を連通でき、更に、可撓性のサプライ管２２，２３の上流端に連通連結した中継管２４，２４の管端と逆止弁２５，２５との両方にそれぞれ設けたフランジ２４ｂ，２５ｅ同士を当接させた状態で、クリップ２７，２７を用いて中継管２４，２４に対して逆止弁２５，２５を抜け止め保持できる。なお、図１には、脱落防止カバー３０を省略している。
【００３２】
【発明の効果】
以上説明したようにこの発明によれば、１つの管継手で、給湯、給水各配管からの湯水の供給と、湯水混合栓本体への取出を行うことができ、作業工数を削減できて取付の手間が省ける。
【００３３】
また、従来用いていた偏心管を不要にできるとともに、取付に必要な接続部品を減数できる。また、コスト安になる。
【００３４】
更に、偏心管を不要にできた分、前出しを小さくできてコンパクト化が可能になるとともに、コンパクト化に伴う取付スペースの縮小化が可能である。
【００３５】
また、この発明では、湯水混合栓本体の湯・水導入口に第１嵌込部材を嵌め込み、管継手の湯・水の取出口に第２嵌込部材を嵌め込むので、第１，２嵌込部材を断熱機能を有する材料で形成すれば、漏れ防止を図ることができる上に、水温の湯温による上昇を防止できるとともに、圧力の拡張も防止できる利点を有する。
【００３６】
また、クリップを用いて接続管に対して被接続部材を抜け止め保持できる。
【図面の簡単な説明】
【図１】  この発明の一実施形態を示す分解斜視図である。
【図２】  上記実施形態における構成説明図である。
【図３】  上記実施形態におけるクリップを装着した状態を示す構成説明図である。
【図４】  上記実施形態におけるクリップ装着時の状態を示す斜視図である。
【図５】  従来例を示す全体構成説明図である。
【符号の説明】
１…湯水混合栓本体、４…湯・水導入口、５…第１嵌込部材、７…管継手、９…壁、１０…設置穴、１１…湯・水の取出口、１２…第２嵌込部材、１７…湯取入口、１８…給湯配管、１９，２１…連通部材、２０…給水配管、２２，２３…可撓性のサプライ管（接続管）、２４…上流側中継管、２４ｂ，２５ｅ…フランジ、２５…逆止弁（被接続部材）、２７…クリップ、３５…下流側中継管、４３…リング、４４…ナット、５０…第１取付部材、５１…ワッシャ、５２…Ｅリング、５３…第２取付部材。
【図１】
0003962159.tif 000002
【図２】
0003962159.tif 000003
【図３】
0003962159.tif 000004
【図４】
0003962159.tif 000005
【図５】
0003962159.tif 000006